(57)【要約】【課題】プライベート性を確保しつつ、様々な座席の使用形態に対応する。【解決手段】座席ユニット１Ａは、複数の座席２と、仕切部材１０とを備える。仕切部材１０は、幅方向で互いに隣り合う座席２の間に設けられている。座席２は、座部４と、背凭れ部５とを備える。背凭れ部５は、座部４の前後方向Ｄａの第一端部４ａから立ち上がる第一状態Ｐ１、及び座部４の前後方向Ｄａの第二端部４ｂから立ち上がる第二状態Ｐ２の間で移動可能である。仕切部材１０は、第一固定部１１と、第二固定部１２と、仕切体１３と、を備える。第一固定部１１は、幅方向第一側の座席２の背凭れ部５に固定される。第二固定部１２は、幅方向第二側の座席２の背凭れ部５に固定される。仕切体１３は、第一固定部１１と第二固定部１２との間に設けられ、前後方向Ｄａに伸縮可能である。【選択図】図６
2020081320.tif 000002
【特許請求の範囲】
【請求項１】
幅方向に並設された複数の座席と、
幅方向で互いに隣り合う前記座席の間に設けられた仕切部材と、を備え、
前記座席は、
座部と、
前記座部の前後方向の第一端部から立ち上がる第一状態、及び前記座部の前後方向の第二端部から立ち上がる第二状態との間で移動可能な背凭れ部と、を備え、
前記仕切部材は、
幅方向第一側の前記座席の前記背凭れ部に固定される第一固定部と、
幅方向第二側の前記座席の前記背凭れ部に固定される第二固定部と、
前記第一固定部と前記第二固定部との間に設けられ、前後方向に伸縮可能な仕切体と、を備える
座席ユニット。
【請求項２】
前記仕切部材は、
幅方向で互いに隣り合う前記座席のいずれか一方の前記背凭れ部が前記第一状態とされ、他方の前記背凭れ部が第二状態とされた場合に、前記仕切体が前後方向に伸びる伸張状態とされ、
互いに隣り合う前記座席の双方の前記背凭れ部が、前記第一状態又は前記第二状態とされた場合に、前記仕切体が前後方向で縮む収縮状態とされる
請求項１に記載の座席ユニット。
【請求項３】
前記仕切体は、前後方向に伸縮可能な蛇腹状をなしている
請求項１又は２に記載の座席ユニット。
【請求項４】
幅方向に並設された複数の座席と、
幅方向で互いに隣り合う座席の間に設けられた仕切装置と、を備え、
前記座席は、
座部と、
前記座部の前後方向の端部から立ち上がる背凭れ部と、を備え、
前記仕切装置は、
前記座部及び前記背凭れ部のいずれか一方に固定される固定部と、
前記固定部に対して移動可能に設けられ、前記座部及び前記背凭れ部のいずれか他方に着脱可能に固定される着脱部と、
前記固定部と前記着脱部との間に設けられ、前記固定部と前記着脱部との間で伸縮可能な仕切材と、を備える
座席ユニット。
【請求項５】
前記仕切装置は、前記座部及び前記背凭れ部のいずれか一方に、前記固定部、前記仕切材、及び前記着脱部を収容可能な収容部をさらに備える
請求項４に記載の座席ユニット。
【請求項６】
幅方向で互いに隣り合う前記座席のいずれか一方の前記座部は、
座部本体と、
前記座部本体に対して幅方向側方に設けられた側部部材と、を備え、
前記仕切装置の前記固定部又は前記着脱部は、前記座部の前記側部部材に設けられている
請求項４又は５に記載の座席ユニット。
【請求項７】
前記側部部材は、上下方向に昇降可能とされている
請求項６に記載の座席ユニット。
【請求項８】
座部、及び前記座部の前後方向の端部から立ち上がる背凭れ部を備える座席と、
前記座席の幅方向の側部に設けられた仕切装置と、を備え、
前記仕切装置は、
前記座部及び前記背凭れ部のいずれか一方に固定される固定部と、
前記固定部に対して移動可能に設けられ、前記座部及び前記背凭れ部のいずれか他方に着脱可能に固定される着脱部と、
前記固定部と前記着脱部との間に設けられ、前記固定部と前記着脱部との間で伸縮可能な仕切材と、を備える
座席装置。
【発明の詳細な説明】
【技術分野】
【０００１】
この発明は、座席ユニット、座席装置に関する。
【背景技術】
【０００２】
船舶、航空機、列車等をはじめとする各種の乗物は、利用者が着座する座席を複数備えている。このような座席に利用者が着座したとき、他の座席に着座した他の利用者の存在や他の利用者の視線等が気になり、プライベート性が損なわれることがある。
【０００３】
例えば特許文献１には、複数の座席と座席との間に、仕切板を設ける構成が開示されている。この仕切板により、他の利用者や、他の利用者の視線等を遮り、各座席に着座する利用者のプライベート性を高めている。
【０００４】
特許文献２には、座席の背凭れにフェイスカバーを設ける構成が開示されている。この構成によれば、座席に着座した利用者の好みに応じて、フェイスカバーを開閉できるようになっている。
【先行技術文献】
【特許文献】
【０００５】
【特許文献１】特許第３０３９９６２号公報
【特許文献２】実用新案登録第３１１３３７７号公報
【発明の概要】
【発明が解決しようとする課題】
【０００６】
しかしながら、乗物における座席の使用形態には、様々なものがある。例えば、上記したような仕切板やフェイスカバーを設けた座席は、航空機、列車、バス等の乗物に用いられるもことを主に想定している。これらの乗物では、座席は、主に、乗物の進行方向前方を向いて設置される。しかし、例えば、船舶においては、船内の広いスペースに座席を設置することができ、座席が船舶の進行方向前方を向いて設置されるとは限らない。このため、座席の使用形態によっては、向きが互いに異なる座席に着座した利用者同士の視線が交錯しやすい場合がある。
この発明は、上記事情に鑑みてなされたものであり、プライベート性を確保しつつ、様々な座席の使用形態に対応することのできる座席ユニット、座席装置を提供することを目的とする。
【課題を解決するための手段】
【０００７】
この発明は、上記課題を解決するため、以下の手段を採用する。
この発明の第一態様によれば、座席ユニットは、複数の座席と、仕切部材とを備える。複数の前記座席は、幅方向に並設されている。前記仕切部材は、幅方向で互いに隣り合う前記座席の間に設けられている。前記座席は、座部と、背凭れ部とを備える。前記背凭れ部は、前記座部の前後方向の第一端部から立ち上がる第一状態、及び前記座部の前後方向の第二端部から立ち上がる第二状態の間で移動可能である。前記仕切部材は、第一固定部と、第二固定部と、仕切体と、を備える。前記第一固定部は、幅方向第一側の前記座席の前記背凭れ部に固定される。前記第二固定部は、幅方向第二側の前記座席の前記背凭れ部に固定される。前記仕切体は、前記第一固定部と前記第二固定部との間に設けられ、前後方向に伸縮可能である。
【０００８】
このように構成することで、幅方向で互いに隣り合う座席の背凭れ部の前後方向における位置が異なると、第一固定部と第二固定部との前後方向における相対位置が異なることになる。すると、第一固定部と第二固定部との間に設けられた仕切体は前後方向に伸びた状態となる。前後方向に延びた状態の仕切体により、互いに隣り合う座席に着座する利用者同士の視線等を遮り、プライベート性を向上させることができる。
また、幅方向で互いに隣り合う座席の背凭れ部同士で、前後方向における位置が同一であれば、第一固定部と第二固定部との前後方向における相対位置も同一となる。この状態で、第一固定部と第二固定部との間に設けられた仕切体は前後方向において縮んだ状態となる。
このように、仕切部材は、幅方向で互いに隣り合う座席の背凭れ部同士の相対位置に応じて、前後方向に伸縮する。また、仕切体の伸縮は、互いに隣り合う座席の背凭れ部の前後方向の動作にともなって行われるので、仕切体を伸縮させるための操作を利用者が行う必要がない。
【０００９】
この発明の第二態様によれば、第一態様に係る前記仕切部材は、幅方向で互いに隣り合う前記座席のいずれか一方の前記背凭れ部が前記第一状態とされ、他方の前記背凭れ部が第二状態とされた場合に、前記仕切体が前後方向に伸びる伸張状態とされる。前記仕切部材は、互いに隣り合う前記座席の双方の前記背凭れ部が、前記第一状態又は前記第二状態とされた場合に、前記仕切体が前後方向で縮む収縮状態とされるようにしてもよい。
このように構成することで、幅方向で互いに隣り合う座席のいずれか一方の背凭れ部が第一状態とされ、他方の背凭れ部が第二状態とされた場合、一方の座席に着座した利用者と他方の座席に着座した利用者とは、双方の座席の間を挟んで前後方向で互いに向かい合うようになる。この場合、双方の座席の間で、仕切体が前後方向に伸張状態となるので、互いに隣り合う座席の間を仕切部材によって仕切り、利用者同士の視線が交錯することを抑制できる。
また、幅方向で互いに隣り合う座席の双方の背凭れ部が第一状態又は第二状態とされると、互いに隣り合う双方の座席に着座した利用者は、前後方向で同じ向きを向くことになる。この場合、双方の座席の間で仕切体は収縮状態となるので、互いに隣り合う座席の間が仕切部材によって仕切られることがなく、開放感が得られる。
【００１０】
この発明の第三態様によれば、第一又は第二態様に係る前記仕切体は、前後方向に伸縮可能な蛇腹状をなしているようにしてもよい。
このように構成することで、互いに隣り合う座席の背凭れ部の前後方向の相対位置に応じて、仕切体が前後方向に容易に伸縮する。また、背凭れ部は、下端部側を中心として上端部が旋回するようにして前後方向に移動する。仕切体は、背凭れ部の動作に応じて、円弧状の軌跡に沿って伸縮する。仕切体が蛇腹状であれば、このような円弧状の軌跡に沿った伸縮が容易に可能である。
【００１１】
この発明の第四態様によれば、座席ユニットは、複数の座席と、仕切装置と、を備えるようにしてもよい。複数の前記座席は、幅方向に並設されている。前記仕切装置は、幅方向で互いに隣り合う座席の間に設けられている。前記座席は、座部と、背凭れ部と、を備える。前記背凭れ部は、前記座部の前後方向の端部から立ち上がる。前記仕切装置は、固定部と、着脱部と、仕切材と、を備える。前記固定部は、前記座部及び前記背凭れ部のいずれか一方に固定される。前記着脱部は、前記固定部に対して移動可能に設けられ、前記座部及び前記背凭れ部のいずれか他方に着脱可能に固定される。前記仕切材は、前記固定部と前記着脱部との間に設けられ、前記固定部と前記着脱部との間で伸縮可能である。
【００１２】
このように構成することで、座部及び背凭れ部のいずれか一方に固定部を固定し、座部及び背凭れ部の他方に着脱部を固定すると、仕切材が固定部と着脱部との間で伸びた状態となる。この仕切材により、互いに隣り合う座席に着座する利用者同士の視線等を遮り、プライベート性を向上させることができる。
【００１３】
この発明の第五態様によれば、第四態様に係る前記仕切装置は、前記座部及び前記背凭れ部のいずれか一方に、前記固定部、前記仕切材、及び前記着脱部を収容可能な収容部をさらに備えるようにしてもよい。
このように構成することで、座部及び背凭れ部のいずれか一方に固定された固定部と、座部及び背凭れ部の他方から取り外した着脱部と、仕切材とを、収容部に収容することができる。
【００１４】
この発明の第六態様によれば、第四又は第五態様に係る座席ユニットは、幅方向で互いに隣り合う前記座席のいずれか一方の前記座部が、座部本体と、側部部材と、を備えるようにしてもよい。前記側部部材は、前記座部本体に対して幅方向側方に設けられている。前記仕切装置の前記固定部又は前記着脱部は、前記座部の前記側部部材に設けられているようにしてもよい。
このように構成することで、座部に、座部本体の幅方向側方に位置する側部部材が設けられている場合、固定部又は着脱部を側部部材に設けることができる。これにより、座部の側部部材及び背凭れ部のいずれか一方に固定部が固定され、座部の側部部材及び背凭れ部の他方に着脱部を固定すると、仕切材が固定部と着脱部との間で伸びた状態となる。この仕切材により、互いに隣り合う座席に着座する利用者同士の視線等を遮り、プライベート性を向上させることができる。
【００１５】
この発明の第七態様によれば、第六態様に係る前記側部部材は、上下方向に昇降可能であるようにしてもよい。
このように構成することで、側部部材を上昇させた状態で、座部の側部部材及び背凭れ部のいずれか一方に固定部を固定し、座部の側部部材及び背凭れ部の他方に着脱部を固定すると、仕切材が固定部と着脱部との間で伸びた状態となる。これにより、側部部材の上方で仕切装置を展開させてプライベート性を高めることができる。
【００１６】
この発明の第八態様によれば、座席装置は、座席と、仕切装置と、を備える。前記座席は、座部、及び前記座部の前後方向の端部から立ち上がる背凭れ部を備える。前記仕切装置は、前記座席の幅方向の側部に設けられている。前記仕切装置は、固定部と、着脱部と、仕切材と、を備える。前記固定部は、前記座部及び前記背凭れ部のいずれか一方に固定されている。前記着脱部は、前記固定部に対して移動可能に設けられ、前記座部及び前記背凭れ部のいずれか他方に着脱可能に固定されている。前記仕切材は、前記固定部と前記着脱部との間に設けられ、前記固定部と前記着脱部との間で伸縮可能である。
【００１７】
このように構成することで、座部及び背凭れ部のいずれか一方に固定部を固定し、座部及び背凭れ部の他方に着脱部を固定すると、仕切材が固定部と着脱部との間で伸びた状態となる。この仕切材により、他の座席に着座する利用者の視線等を遮り、プライベート性を向上させることができる。
【発明の効果】
【００１８】
上記座席ユニット、座席装置によれば、プライベート性を確保しつつ、様々な座席の使用形態に対応することが可能となる。
【図面の簡単な説明】
【００１９】
【図１】この発明の第一実施形態における座席ユニットの概略構成を示す側面図である。
【図２】上記座席ユニットの平面図であり、座席ユニットを構成する複数の座席の双方の背凭れ部を第一状態とした使用形態を示す図である。
【図３】上記座席ユニットを構成する複数の座席の使用形態の一例を示す図であり、双方の座席の背凭れ部を第二状態とした使用形態を示す平面図である。
【図４】上記座席ユニットを構成する複数の座席の使用形態の一例を示す図であり、一方の座席の背凭れ部を第一状態とし、他方の座席の背凭れ部を第二状態とした使用形態を示す平面図である。
【図５】上記座席ユニットを構成する複数の座席の使用形態の一例を示す図であり、一方の座席の背凭れ部を第二状態とし、他方の座席の背凭れ部を第一状態とした使用形態を示す平面図である。
【図６】上記座席ユニットの仕切部材を伸張させた状態を示す側面図である。
【図７】この発明の第二実施形態における座席ユニット、座席装置の概略構成を示す側面図である。
【図８】上記座席ユニットの平面図である。
【図９】上記座席ユニットの仕切装置を伸張させた状態を示す側面図である。
【図１０】この発明の第二実施形態の変形例における座席ユニット、座席装置の概略構成を示す側面図である。
【図１１】上記座席ユニットの仕切装置を伸張させた状態を示す側面図である。
【図１２】上記仕切装置の肘掛けを下降させた状態を示す側面図である。
【発明を実施するための形態】
【００２０】
以下、この発明の一実施形態における座席ユニット、座席装置を、図面に基づき説明する。
（第一実施形態）
図１は、この実施形態における座席ユニットの概略構成を示す側面図である。図２は、上記座席ユニットの平面図であり、座席ユニットを構成する複数の座席の双方の背凭れ部を第一状態とした使用形態を示す図である。
図１、図２に示すように、この実施形態の座席ユニット１Ａは、複数の座席２と、仕切部材１０とを備える。
以下の説明においては、座席２に着座した利用者から見た幅方向（左右方向）を幅方向Ｄｗとする。また、座席２に着座した利用者から見た前後方向を、前後方向Ｄａとする。ここで、座席ユニット１Ａは、例えば船舶内に設置される。座席ユニット１Ａの船舶内における設置方向は、船舶の進行方向と一致するとは限らず、任意の方向に設置可能である。すなわち、以下の説明における前後方向Ｄａは、船舶の船首尾方向と一致するとは限らない。
【００２１】
複数の座席２は、幅方向Ｄｗに並設されている。この実施形態では、座席ユニット１Ａは、幅方向Ｄｗに２つの座席２が並設されている。座席ユニット１Ａは、幅方向Ｄｗに３以上の座席２を並設してもよい。この実施形態では、二つの座席２の幅方向Ｄｗの外側に利用者が移動するための通路が設けられている。
【００２２】
各座席２は、座部４と、背凭れ部５とを備えている。
座部４は、座部本体６と、床面上に設けられた脚部７と、を備えている。座部本体６は、脚部７に支持されたフレーム（図示せず）と、フレームを覆うように設けられたクッション材（図示せず）及び表皮材６ｆと、を備えている。座部本体６は、その上面に、利用者が着座する着座面６ｓを有する。
【００２３】
背凭れ部５は、その下端部５ａが、回動機構（図示せず）を介して、座部４に対して幅方向Ｄｗに延びる水平軸（図示せず）周りに回動自在に連結されている。図１に示すように、背凭れ部５は、座部４の前後方向Ｄａの第一端部４ａから立ち上がる第一状態Ｐ１（図１中、実線で示す）と、座部４の前後方向Ｄａの第二端部４ｂから立ち上がる第二状態Ｐ２（図１中、二点鎖線で示す）との間で移動（揺動）可能である。
【００２４】
このような座席２において、背凭れ部５が第一状態Ｐ１にあるときに座席２に着座した利用者は、前後方向Ｄａにおいて、座部４の第二端部４ｂ側（図１において左側）を向く。また、背凭れ部５が第二状態Ｐ２にあるときに座席２に着座した利用者は、前後方向Ｄａにおいて、座部４の第一端部４ａ側（図１において右側）を向く。
【００２５】
図３は、上記座席ユニットを構成する複数の座席の使用形態の一例を示す図であり、双方の座席の背凭れ部を第二状態とした使用形態を示す平面図である。図４は、上記座席ユニットを構成する複数の座席の使用形態の一例を示す図であり、一方の座席の背凭れ部を第一状態とし、他方の座席の背凭れ部を第二状態とした使用形態を示す平面図である。図５は、上記座席ユニットを構成する複数の座席の使用形態の一例を示す図であり、一方の座席の背凭れ部を第二状態とし、他方の座席の背凭れ部を第一状態とした使用形態を示す平面図である。
【００２６】
座席ユニット１Ａにおけるそれぞれの座席２は、個別に背凭れ部５の向きを、第一状態Ｐ１と第二状態Ｐ２とに変更することができる。具体的には、座席ユニット１Ａにおいて幅方向Ｄｗで互いに隣り合う座席２Ａ、２Ｂにおいて、一方の座席２Ａの背凭れ部５Ａと他方の座席２Ｂの背凭れ部５Ｂとを、それぞれ第一状態Ｐ１とすることができる。また、図３に示すように、一方の座席２Ａの背凭れ部５Ａと他方の座席２Ｂの背凭れ部５Ｂとを、それぞれ第二状態Ｐ２とすることができる。また、図４に示すように、一方の座席２Ａの背凭れ部５Ａを第一状態Ｐ１とし、他方の座席２Ｂの背凭れ部５Ｂを第二状態Ｐ２とすることができる。さらに、図５に示すように、一方の座席２Ａの背凭れ部５Ａを第二状態Ｐ２とし、他方の座席２Ｂの背凭れ部５Ｂを第一状態Ｐ１とすることができる。
【００２７】
図６は、上記座席ユニットの仕切部材を伸張させた状態を示す側面図である。
図２から図６に示すように、仕切部材１０は、幅方向Ｄｗで互いに隣り合う座席２の間に設けられている。仕切部材１０は、第一固定部１１と、第二固定部１２と、仕切体１３と、を備えている。
【００２８】
第一固定部１１は、座席２Ａの背凭れ部５Ａの側面のうち、幅方向Ｄｗ第一側（言い換えれば、幅方向Ｄｗで座席２Ｂに近い側）の側面５ｓに固定されている。
【００２９】
第二固定部１２は、座席２Ｂの背凭れ部５Ｂの側面のうち、幅方向Ｄｗ第二側（言い換えれば、幅方向Ｄｗで座席２Ａに近い側）の側面５ｔに固定されている。背凭れ部５Ａと背凭れ部５Ｂとが両方とも第一状態Ｐ１や第二状態Ｐ２となっている場合、座席２Ａの背凭れ部５Ｂの側面５ｓは、側面５ｔに対向する。
【００３０】
仕切体１３は、第一固定部１１と第二固定部１２との間に設けられている。仕切体１３は、仕切体１３は、前後方向Ｄａに伸縮可能な蛇腹状をなしている。
【００３１】
図２、図３に示すように、仕切体１３は、第一固定部１１と第二固定部１２とが幅方向Ｄｗで互いに対向した状態にあるときには、ジグザグ状に折り畳まれた収縮状態とされている。
詳しくは、図１，図２に示すように、幅方向Ｄｗで互いに隣り合う座席２Ａ，２Ｂの双方の背凭れ部５Ａ，５Ｂが、第一状態Ｐ１とされた場合、仕切部材１０は、第一固定部１１と第二固定部１２とが幅方向Ｄｗで互いに対向する。この状態で、仕切体１３は、前後方向Ｄａで折り畳まれた収縮状態とされている。
また、図３に示すように、幅方向Ｄｗで互いに隣り合う座席２Ａ，２Ｂの双方の背凭れ部５Ａ，５Ｂが、第二状態Ｐ２とされた場合、仕切部材１０は、第一固定部１１と第二固定部１２とが幅方向Ｄｗで互いに対向する。この状態で、仕切体１３は、前後方向Ｄａで折り畳まれた収縮状態とされている。
【００３２】
図４から図６に示すように、仕切体１３は、第一固定部１１と第二固定部１２とが前後方向に離間した状態にあるときには、前後方向Ｄａに伸びて展開され、伸張状態となる。仕切体１３は、伸張状態において、幅方向Ｄｗからの側面視で扇状に広がっている。
【００３３】
詳しくは、図４、図６に示すように、幅方向Ｄｗで互いに隣り合う座席２Ａ、２Ｂのうち、一方の座席２Ａの背凭れ部５Ａが第一状態Ｐ１とされ、他方の座席２Ｂの背凭れ部５Ｂが第二状態Ｐ２とされた場合、仕切部材１０の第一固定部１１と第二固定部１２とは、前後方向Ｄａにおける相対位置が異なった状態となる。この状態で、仕切体１３が前後方向Ｄａに伸び、扇状に展開された伸張状態とされている。
【００３４】
また、図５に示すように、幅方向Ｄｗで互いに隣り合う座席２Ａ、２Ｂのうち、一方の座席２Ａの背凭れ部５Ａが第二状態Ｐ２とされ、他方の座席２Ｂの背凭れ部５Ｂが第一状態Ｐ１とされた場合、仕切部材１０の第一固定部１１と第二固定部１２とは、前後方向Ｄａにおける相対位置が異なった状態となる。この状態で、仕切体１３が前後方向Ｄａに伸び、扇状に展開された伸張状態とされている。
【００３５】
このような座席ユニット１Ａにおいて、利用者は、各座席２の背凭れ部５の位置（向き）を第一状態Ｐ１と第二状態Ｐ２との間で任意に変更することができる。
図２に示すように、互いに隣り合う座席２Ａ，２Ｂの双方の背凭れ部５Ａ，５Ｂが、第一状態Ｐ１であるときに、図４又は図５に示すように、背凭れ部５Ａ，５Ｂいずれか一方を第一状態Ｐ１から第二状態Ｐ２に変更すると、仕切部材１０が収縮状態から前後方向Ｄａに延び、扇状に展開された伸張状態となる。
【００３６】
図３に示すように、互いに隣り合う座席２Ａ，２Ｂの双方の背凭れ部５Ａ，５Ｂが、第二状態Ｐ２であるときに、図４又は図５に示すように、背凭れ部５Ａ，５Ｂいずれか一方を第二状態Ｐ２から第一状態Ｐ１に変更すると、仕切部材１０が収縮状態から前後方向Ｄａに延び、扇状に展開された伸張状態となる。
【００３７】
また、図４又は図５に示すように、互いに隣り合う座席２Ａ、２Ｂの背凭れ部５Ａ，５Ｂのいずれか一方が第一状態Ｐ１にあり、他方が第二状態Ｐ２にあるときに、図２に示すように、背凭れ部５Ａ，５Ｂの双方を第一状態Ｐ１にすると、仕切部材１０が伸張状態から折り畳まれて収縮状態となる。
同様に、図４又は図５に示すように、互いに隣り合う座席２Ａ、２Ｂの背凭れ部５Ａ，５Ｂのいずれか一方が第二状態Ｐ２にあり、他方が第一状態Ｐ１にあるときに、図３に示すように、背凭れ部５Ａ，５Ｂの双方を第二状態Ｐ２にすると、仕切部材１０が伸張状態から折り畳まれて収縮状態となる。
【００３８】
（第一実施形態の作用効果）
上述した第一実施形態の座席ユニット１Ａでは、仕切部材１０の仕切体１３は、第一固定部１１と第二固定部１２との間に設けられ、前後方向Ｄａに伸縮可能である。このように構成することで、幅方向Ｄｗで互いに隣り合う座席２の背凭れ部５の前後方向Ｄａにおける位置が異なると、第一固定部１１と第二固定部１２との間に設けられた仕切体１３は前後方向Ｄａに伸びた状態となる。この仕切体１３により、互いに隣り合う座席２に着座する利用者同士の視線等を遮り、プライベート性を向上させることができる。
また、幅方向Ｄｗで互いに隣り合う座席２の背凭れ部５同士で、前後方向Ｄａにおける位置が同一であれば、第一固定部１１と第二固定部１２との前後方向Ｄａにおける相対位置も同一となる。この状態で、第一固定部１１と第二固定部１２との間に設けられた仕切体１３は、前後方向Ｄａにおいて縮んだ状態となる。
このように、仕切部材１０は、幅方向Ｄｗで互いに隣り合う座席２の背凭れ部５同士の相対位置に応じて、前後方向Ｄａに伸縮する。したがって、上記座席ユニット１Ａによれば、プライベート性を確保しつつ、様々な座席２の使用形態に対応することが可能となる。
さらに、仕切体１３の伸縮は、互いに隣り合う座席２の背凭れ部５の前後方向Ｄａの動作にともなって行われるので、仕切体１３を伸縮させるための操作を利用者が行う必要がない。
【００３９】
また、仕切部材１０は、幅方向Ｄｗで互いに隣り合う座席２のいずれか一方の座席２Ａの背凭れ部５が第一状態Ｐ１とされ、他方の座席２Ｂの背凭れ部５が第二状態Ｐ２とされた場合に、仕切体１３が前後方向Ｄａに伸びる伸張状態とされる。仕切部材１０は、互いに隣り合う座席２の双方の背凭れ部５が、第一状態Ｐ１又は第二状態Ｐ２とされた場合に、仕切体１３が前後方向Ｄａで縮む収縮状態とされる。
このように構成することで、一方の座席２Ａの座席２に着座した利用者と、他方の座席２Ｂの座席２に着座した利用者とが、双方の座席２の間を挟んで前後方向Ｄａで互いに向かい合う場合、双方の座席２の間で、仕切体１３が前後方向Ｄａに伸張状態となる。これにより、互いに隣り合う座席２の間を仕切部材１０によって仕切り、利用者同士の視線が交錯することを抑制できる。これにより、プライベート性を高めることができる。
さらに、互いに隣り合う双方の座席２に着座した利用者が、前後方向Ｄａで同じ向きを向く場合、双方の座席２の間で仕切体１３は収縮状態となる。これにより、互いに隣り合う座席２の間が仕切部材１０によって仕切られることがなく、開放感が得られる。
【００４０】
また、仕切体１３は、前後方向Ｄａに伸縮可能な蛇腹状をなしている。
このように構成することで、互いに隣り合う座席２の背凭れ部５の前後方向Ｄａの相対位置に応じて、仕切体１３を前後方向Ｄａに容易に伸縮させることができる。また、背凭れ部５は、下端部側を中心として上端部が旋回するようにして前後方向Ｄａに移動する。そして、仕切体１３は、背凭れ部５の動作に応じて、円弧状の軌跡に沿って伸縮する。そのため、仕切体１３が蛇腹状であれば、このような円弧状の軌跡に沿った伸縮が容易に可能である。
【００４１】
（第二実施形態）
次に、この発明に係る座席ユニット第二実施形態について説明する。以下に説明する第二実施形態においては、第一実施形態と仕切装置３０の構成のみが異なるので、第一実施形態と同一部分に同一符号を付して説明するとともに、重複説明を省略する。
図７は、この第二実施形態における座席ユニット、座席装置の概略構成を示す側面図である。図８は、上記座席ユニットの平面図である。
図７、図８に示すように、この実施形態における座席ユニット１Ｂは、複数の座席２０と、仕切装置３０と、を備えている。
【００４２】
複数の座席２０は、座席２０の幅方向Ｄｗに並設されている。この実施形態では、座席ユニット１Ｂは、幅方向Ｄｗに２つの座席２０が並設されている。座席ユニット１Ｂは、幅方向Ｄｗに３以上の座席２０を並設してもよい。
【００４３】
各座席２０は、座部２１と、背凭れ部２５とを備えている。
座部２１は、座部本体２２と、床面上に設けられた脚部２７と、を備えている。座部本体２２は、脚部２７に支持されたフレーム（図示せず）と、フレームを覆うように設けられたクッション材（図示せず）及び表皮材２２ｆと、を備えている。座部本体２２は、その上面に、利用者が着座する着座面２２ｓを有する。
【００４４】
背凭れ部２５は、その下端部２５ａが、脚部２７に対して、幅方向Ｄｗに延びる水平軸周りに回動自在に連結されている。背凭れ部２５は、上記第一実施形態と同様、座部２１の前後方向Ｄａの第一端部２１ａから立ち上がる第一状態Ｐ１１と、座部２１の前後方向Ｄａの第二端部２１ｂから立ち上がる第二状態Ｐ１２との間で移動可能である。このような背凭れ部２５を備えた座席２０が複数設けられた座席ユニット１Ｂにおいては、複数の座席２０のそれぞれを、第一状態Ｐ１１又は第二状態Ｐ１２の何れか一方にすることができる。これにより、座席ユニット１Ｂは、上記第一実施形態で例示したのと同様、様々な使用形態とすることができる。
【００４５】
このような座席２０において、背凭れ部２５が第一状態Ｐ１１にあるときに座席２０に着座した利用者は、前後方向Ｄａにおいて、座部２１の第二端部２１ｂ側を向く。また、背凭れ部２５が第二状態Ｐ１２にあるときに座席２０に着座した利用者は、前後方向Ｄａにおいて、座部２１の第一端部２１ａ側を向く。
【００４６】
座席ユニット１Ｂにおいて、それぞれの座席２０は、背凭れ部２５の向きを、第一状態Ｐ１１と第二状態Ｐ１２とに、個別に変更することができる。
【００４７】
仕切装置３０は、幅方向Ｄｗで互いに隣り合う座席２０の間に設けられている。仕切装置３０は、幅方向Ｄｗで互いに隣り合う座席２０のいずれか一方に設けられている。仕切装置３０は、固定部３１と、着脱部３２と、仕切材３３と、収容部３５と、を備えている。
【００４８】
固定部３１は、座部２１の幅方向Ｄｗ側方に固定されている。
着脱部３２は、座部２１に設けられた固定部３１に対して移動可能に設けられている。着脱部３２は、固定部３１と、背凭れ部２５の側面２５ｓとの間で移動可能に設けられている。着脱部３２は、背凭れ部２５の側面２５ｓに設けられた受け部３４に対し、フック、マグネット、面ファスナー等により着脱可能に固定されている。
【００４９】
図９は、上記座席ユニットの仕切装置を伸張させた状態を示す側面図である。
図９に示すように、仕切材３３は、固定部３１と着脱部３２との間に設けられている。固定部３１と着脱部３２との間で伸縮可能な蛇腹状をなしている。仕切材３３は、着脱部３２が収容部３５に収容されて固定部３１と上下方向で対向している状態では、ジグザグ状に折り畳まれた収縮状態とされている。仕切材３３は、着脱部３２が背凭れ部２５の側面２５ｓに設けられた受け部３４に固定された状態では、幅方向Ｄｗからの側面視で、扇状に伸びて展開された伸張状態とされている。なお、仕切材３３は、背凭れ部２５が第一状態Ｐ１１、第二状態Ｐ１２のいずれにあるときでも、着脱部３２を受け部３４に固定することで、扇状に展開された伸張状態とされる。
【００５０】
収容部３５は、座部２１の幅方向Ｄｗ側方に設けられている。収容部３５は、上方に向かって開口した開口部を有する。収容部３５は、その内部に固定部３１が設けられている。収容部３５は、仕切材３３が収縮状態にあるときに、仕切材３３と、着脱部３２とを収納可能である。収容部３５は、固定部３１、仕切材３３、及び着脱部３２を収容した状態で、その上方の開口部を閉塞する開閉蓋（図示せず）を備えても良い。
【００５１】
上記仕切装置３０と、座席２０とにより、座席装置１００が構成されている。
【００５２】
このような仕切装置３０においては、利用者が、収容部３５から着脱部３２を取り出し、背凭れ部２５の側面２５ｓに固定すると、仕切材３３が伸び、扇状に展開された伸張状態となる。
また、図７に示すように、仕切装置３０は、背凭れ部２５の側面２５ｓに固定された着脱部３２を収容部３５に収容すれば、仕切材３３が伸張状態から折り畳まれて収縮状態となる。
【００５３】
（第二実施形態の作用効果）
上述した第二実施形態の座席ユニット１Ｂ、座席装置１００では、仕切装置３０の仕切材３３が、固定部３１と着脱部３２との間に設けられ、座部２１と背凭れ部２５との間で伸縮可能である。そして、座部２１に固定部３１を固定し、背凭れ部２５に着脱部３２を固定すると、仕切材３３が固定部３１と着脱部３２との間で伸びた状態となる。そのため、この仕切材３３により、互いに隣り合う座席２０に着座する利用者同士の視線等を遮り、プライベート性を向上させることができる。
したがって、プライベート性を確保しつつ、様々な座席２０の使用形態に対応することが可能となる。
【００５４】
また、仕切装置３０は、固定部３１、仕切材３３、及び着脱部３２を収容可能な収容部３５をさらに備えている。このように構成することで、仕切装置３０の不使用時には、固定部３１と、着脱部３２と、仕切材３３とを、収容部３５に収容することができる。
【００５５】
また、背凭れ部２５は、第一状態Ｐ１１、及び第二状態Ｐ１２との間で移動可能である。このような場合、幅方向Ｄｗで互いに隣り合う座席２０のいずれか一方の背凭れ部２５が第一状態Ｐ１１とされ、他方の背凭れ部２５が第二状態Ｐ１２とされると、一方の座席２０に着座した利用者と、他方の座席２０に着座した利用者とは、双方の座席２０の間を挟んで前後方向Ｄａで互いに向かい合うようになる。しかし、双方の座席２０の間で、一方の座席２０に設けられた仕切装置３０を展開させることで、互いに隣り合う座席２０の間を仕切装置３０によって仕切り、利用者同士の視線が交錯することを抑制できる。
また、幅方向Ｄｗで互いに隣り合う座席２０の双方の背凭れ部２５が第一状態Ｐ１１又は第二状態Ｐ１２とされた場合、互いに隣り合う双方の座席２０に着座した利用者は、前後方向Ｄａで同じ向きを向くことになる。この場合においても、双方の座席２０の間で、仕切装置３０を展開させることで、互いに隣り合う座席２０の間を仕切装置３０によって仕切り、利用者同士の視線が交錯することを抑制し、プライベート性を確保できる。
【００５６】
なお、上記第二実施形態において、仕切装置３０を、幅方向Ｄｗで隣り合う一方の座席２０にのみ設けるようにしたが、幅方向Ｄｗで隣り合う座席２０の双方にそれぞれ設けるようにしても良い。
【００５７】
（第二実施形態の変形例）
上記第二実施形態では、仕切装置３０の固定部３１を、座部２１の幅方向Ｄｗ側方に設けるようにしたが、これに限らない。
図１０は、この発明の第二実施形態の変形例における座席ユニット、座席装置の概略構成を示す側面図である。図１１は、上記座席ユニットの仕切装置を伸張させた状態を示す側面図である。
図１０、図１１に示すように、この変形例の座席ユニット１Ｃにおいて、座席２０Ｃの座部２１は、座部本体２２と、肘掛け（側部部材）２３と、脚部２７と、を備えている。
【００５８】
肘掛け２３は、座部本体２２の幅方向Ｄｗの側方に設けられている。肘掛け２３は、座部本体２２よりも上方に設けられている。
【００５９】
仕切装置３０の固定部３１は、座部２１の肘掛け２３に設けられている。すなわち、肘掛け２３に、仕切装置３０の収容部３５が設けられている。仕切装置３０の固定部３１は、肘掛け２３に設けられた収容部３５に収容されている。
【００６０】
着脱部３２は、肘掛け２３に設けられた固定部３１に対して移動可能に設けられている。仕切材３３は、固定部３１と着脱部３２との間に設けられている。仕切材３３は、固定部３１と着脱部３２との間で伸縮可能な蛇腹状をなしている。
【００６１】
上記座席２０Ｃと、仕切装置３０とにより、座席装置１００Ｃが構成されている。
【００６２】
図１１に示すように、このような仕切装置３０を備える座席装置１００Ｃは、座部２１の肘掛け２３に固定部３１を固定し、背凭れ部２５の受け部３４に着脱部３２を固定すると、仕切材３３が固定部３１と着脱部３２との間で伸びた状態となる。この仕切材３３により、互いに隣り合う座席２０に着座する利用者同士の視線等を遮り、プライベート性を向上させることができる。
【００６３】
図１２は、上記仕切装置の肘掛けを下降させた状態を示す側面図である。
この肘掛け２３は、上下方向に昇降可能であるようにしてもよい。図１２に示すように、仕切装置３０及び肘掛け２３の不使用時には、肘掛け２３を下降させておく。図１１に示すように、仕切装置３０を展開状態するときには、肘掛け２３を上昇させる。この状態で、座部２１の肘掛け２３に固定した固定部３１と、背凭れ部２５の受け部３４に固定した着脱部３２との間で、仕切装置３０を展開させてプライベート性を高めることができる。
【００６４】
（第二実施形態の他の変形例）
この第二実施形態及び変形例では、仕切装置３０の固定部３１を座部２１に設け、着脱部３２を背凭れ部２５に設けるようにしたが、着脱部３２を座部２１に設け、固定部３１を背凭れ部２５に設けるようにしてもよい。
【００６５】
また、上記第二実施形態では、背凭れ部２５は、第一状態Ｐ１１と第二状態Ｐ１２との間で移動可能であるようにしたが、これに限らない。背凭れ部２５は、座部２１の前後方向Ｄａの第一端部２１ａ及び第二端部２１ｂのみから立ち上がるように設けてもよい。
さらに、上記第二実施形態では、座席２０を幅方向Ｄｗに複数備える座席ユニット１Ｂについて例示したが、仕切装置３０を備えた座席２０、すなわち座席装置１００を単体で設置することも可能である。
【００６６】
また、上記第二実施形態の変形例では、仕切装置３０を肘掛け２３に設けるようにしたが、側部部材は、座部本体２２の側方に設けられているのであれば、肘掛け２３以外の用途のものとしてもよい。
【００６７】
（その他の変形例）
なお、この発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
例えば、上記実施形態では、仕切体１３、仕切材３３として、蛇腹状のものを用いたが、その材質は何ら問うものではない。また、仕切部材１０、仕切装置３０の開閉動作にともなって伸縮するのであれば、仕切体１３、仕切材３３として、伸縮性を有する材料を用いてもよい。
【符号の説明】
【００６８】
１Ａ、１Ｂ、１Ｃ  座席ユニット
２、２Ａ、２Ｂ、２０、２０Ｃ  座席
４、２１  座部
４ａ、２１ａ  第一端部
４ｂ、２１ｂ  第二端部
５、５Ａ、５Ｂ、２５  背凭れ部
５ａ、２５ａ  下端部
５ｓ、５ｔ、２５ｓ  側面
６，２２    座部本体
６ｆ，２２ｆ  表皮材
６ｓ，２２ｓ  着座面
７    脚部
１０  仕切部材
１１  第一固定部
１２  第二固定部
１３  仕切体
２３  肘掛け（側部部材）
２７  脚部
３０  仕切装置
３１  固定部
３２  着脱部
３３  仕切材
３４  受け部
３５  収容部
１００、１００Ｃ  ：座席装置
Ｄａ  前後方向
Ｄｗ  幅方向
Ｐ１、Ｐ１１第一状態
Ｐ２、Ｐ１２第二状態
【図１】
2020081320.tif 000003
【図２】
2020081320.tif 000004
【図３】
2020081320.tif 000005
【図４】
2020081320.tif 000006
【図５】
2020081320.tif 000007
【図６】
2020081320.tif 000008
【図７】
2020081320.tif 000009
【図８】
2020081320.tif 000010
【図９】
2020081320.tif 000011
【図１０】
2020081320.tif 000012
【図１１】
2020081320.tif 000013
【図１２】
2020081320.tif 000014